(57)【特許請求の範囲】
【請求項１】
電気エネルギを油圧に変換する油圧システムと、
前記油圧システムを収容する本体ケースと、
前記本体ケースの外面に設けられた油圧管接続ポートと、
前記油圧システムの起動のオン・オフを制御するスイッチ部と、
前記スイッチ部に接続されると共に前記本体ケースの外面に設けられたスイッチ配線接続ポートと、
を有しており、
前記油圧管接続ポートに油圧管が接続された状態で、前記スイッチ部が前記油圧システムの起動をオンにすると、当該油圧管内に油圧を供給するようになっている
ことを特徴とする本体部
を備え、
前記油圧管接続ポートに対して直接接続可能であると共に、延長管を介しても接続可能である油圧管と、
前記スイッチ配線接続ポートに対して直接接続可能であると共に、延長配線を介しても接続可能であるスイッチ配線と、
前記スイッチ配線及び前記本体部の前記スイッチ配線接続ポートを介して前記本体部の前記スイッチ部のオン・オフの制御を操作可能なスイッチ操作部と、
拡管対象の配管の径に対応するアタッチメントを接続するための接続部と、
を有しており、
前記接続部にアタッチメントが接続された状態で、前記油圧管に油圧が供給されると、当該アタッチメントに油圧が作用されて、配管を拡管するようなアタッチメントの一時的な変形が生じる
ことを特徴とする拡管部
を更に備え、
前記拡管部は、把持部と、安定した載置のための台座部と、を有しており、
前記本体部は、前記拡管部の前記台座部を収容可能な凹部を有しており、
前記凹部の周縁の一部の上面には、スライドレール形成部が設けられており、
前記拡管部の前記台座部は、前記本体部の前記凹部に対して、スライド移動することによって収容されるようになっており、
前記把持部は、前記台座部と略平行な方向に伸びる把持ハンドルとして形成されており、
前記スイッチ操作部は、前記把持ハンドルの先端部に、前記台座部と略平行な方向への押圧操作部として設けられている
ことを特徴とする油圧式拡管機。
【請求項２】
前記拡管部の前記台座部が前記本体部の前記凹部に収容されている状態を保持するための保持具が、前記拡管部及び前記本体部の少なくとも一方に設けられている
ことを特徴とする請求項１に記載の油圧式拡管機。
【請求項３】
前記保持具は、互いに対応するように前記スライドレール部に設けられた貫通孔と前記台座部に設けられた有底穴または貫通穴とに挿入される抜け止めピンである
ことを特徴とする請求項２に記載の油圧式拡管機。
【請求項４】
前記油圧管接続ポートは、上方に延出した後に屈曲して略水平方向に延びるように設けられている
ことを特徴とする請求項１乃至３のいずれかに記載の油圧式拡管機。
【請求項５】
前記アタッチメントは、
前記拡管部に固定されるフランジ部と、
前記フランジ部を貫通して延びており、前記拡管部の前記接続部に接続されて油圧が作
用される時に前記フランジ部に対して引込移動可能なガイドシャフトと、
を備え、
前記ガイドシャフトには、前記フランジ部に対向する対向フランジ部が設けられており
、
前記フランジ部と前記対向フランジ部との間に、弾性変形可能な樹脂リングが設けられ
ており、
前記アタッチメントに油圧が作用されると、前記ガイドシャフトが引込移動して、前記
フランジ部と前記対向フランジ部との間で前記樹脂リングが圧縮されて外径側に膨らむよ
うに変形され、その変形力が配管を拡管する力として利用されるようになっている
ことを特徴とする請求項１乃至４のいずれかに記載の油圧式拡管機。
【請求項６】
請求項１乃至５のいずれかに記載の油圧式拡管機と、
前記アタッチメントの１以上と、
前記延長管と、
前記延長配線と、
を備えたことを特徴とする油圧式拡管機セット。
【請求項７】
前記延長管と前記延長配線とは、少なくとも部分的に一体化されている
ことを特徴とする請求項６に記載の油圧式拡管機セット。
【発明の詳細な説明】
【技術分野】
【０００１】
本発明は、例えば継手部材との接合のために、配管部材の端部近傍の領域を局所的に拡管するための油圧式拡管機に関する。
【背景技術】
【０００２】
例えばステンレス鋼製の配管部材の端部近傍の領域を局所的に拡管するために、従来より油圧式拡管機が用いられている。配管部材の端部近傍の領域の局所的な拡管は、主には、配管用継手部材との接合のために行われている。
【０００３】
図１５乃至図１８を用いて、本件出願人が従来より実際に製造ないし販売しているステンレス鋼管用の油圧式拡管機の構成を説明する。
【０００４】
図１５は、従来の油圧式拡管機５０の正面図であり、図１６は、従来の油圧式拡管機５０の側面図である。図１７は、従来の油圧式拡管機５０に、拡管対象の配管の径に対応するアタッチメント７０を接続した状態を示す側面図であり、図１８は、アタッチメント７０の構成を示す概略側面図である。
【０００５】
図１５乃至図１７に示すように、従来の油圧式拡管機５０は、電気エネルギを油圧に変換する油圧システム５１と、油圧システム５１を収容する本体ケース５２と、本体ケース５２の外面に一部露出した油圧管５３と、油圧管５３に接続された拡管作用部５４と、を備えている。拡管作用部５４は、略円筒形状の部材からなり、油圧シリンダと呼ばれている。
【０００６】
本体ケース５２の上面には、油圧システム５１の起動のオン・オフを制御するスイッチ部５５が設けられている。スイッチ部５５が油圧システム５１の起動をオンにすると、油圧管５３を介して拡管作用部５４に油圧が作用されるようになっている。
【０００７】
油圧式拡管機５０を使用する時には、図１７に示すように、必要に応じて適合するアダプタ６０を拡管部５４に取り付けた後、拡管対象の配管の径に対応するアタッチメント７０が拡管部５４の接続部（ピストンロッド）に螺合される。
【０００８】
アタッチメント７０が螺合された状態で、油圧管５３を介して拡管作用部５４に油圧が供給されると、アタッチメント７０に油圧が作用されて、配管を拡管するようなアタッチメント７０の一時的な変形が生じる。
【０００９】
より具体的に説明すれば、アタッチメント７０は、図１８に示すように、拡管部５４に固定されるフランジ部７１と、フランジ部７１を貫通して延びており油圧が作用される時に拡管部５４に対して引込移動するガイドシャフト７２と、を有している。また、ガイドシャフト７２には、フランジ部７１に対向する対向フランジ部７３が設けられており、フランジ部７１と対向フランジ部７３との間に、弾性変形可能な樹脂リング７４が設けられている。
【００１０】
そして、アタッチメント７０に油圧が作用されると、ガイドシャフト７２が引込移動して、フランジ部７１と対向フランジ部７３との間で樹脂リング７４が圧縮されて外径側に膨らむように変形され、その変形力が配管を拡管する力として利用される。
【００１１】
なお、拡管した配管を継手部材に接続する方法は、様々な態様が知られている。一例が、特許文献１の図１０及び図１１（特許文献１における第６の実施形態）に記載されている。
【先行技術文献】
【特許文献】
【００１２】
【特許文献１】特開２００２−０７１０６５
【発明の概要】
【発明が解決しようとする課題】
【００１３】
前述の油圧式拡管機５０は、購買者から非常に高く評価されている。しかしながら、全体で２０ｋｇにもなる重量と、油圧システム５１部分が大きいことにより、狭い作業現場に持ち込むことが極めて困難であった。
【００１４】
本件発明者は、狭い作業現場でも効果的に活用できるような油圧式拡管機の開発を目指して、鋭意検討を重ねてきた。特に、拡管部５４を油圧システム５１部分から分離して、拡管部５４のみを狭い作業現場に持ち込むという方向性で検討を重ねた。
【００１５】
本発明は、以上の知見に基づいて創案されたものである。本発明の目的は、狭い作業現場でも効果的に活用できるような油圧式拡管機を提供することである。
【課題を解決するための手段】
【００１６】
本発明は、電気エネルギを油圧に変換する油圧システムと、前記油圧システムを収容する本体ケースと、前記本体ケースの外面に設けられた油圧管接続ポートと、前記油圧システムの起動のオン・オフを制御するスイッチ部と、前記スイッチ部に接続されると共に前記本体ケースの外面に設けられたスイッチ配線接続ポートと、を有しており、前記油圧管接続ポートに油圧管が接続された状態で、前記スイッチ部が前記油圧システムの起動をオンにすると、当該油圧管内に油圧を供給するようになっている、ことを特徴とする本体部を備え、また、前記油圧管接続ポートに対して直接接続可能であると共に、延長管を介しても接続可能である油圧管と、前記スイッチ配線接続ポートに対して直接接続可能であると共に、延長配線を介しても接続可能であるスイッチ配線と、前記スイッチ配線及び前記本体部の前記スイッチ配線接続ポートを介して前記本体部の前記スイッチ部のオン・オフの制御を操作可能なスイッチ操作部と、拡管対象の配管の径に対応するアタッチメントを接続するための接続部と、を有しており、前記接続部にアタッチメントが接続された状態で、前記油圧管に油圧が供給されると、当該アタッチメントに油圧が作用されて、配管を拡管するようなアタッチメントの一時的な変形が生じることを特徴とする拡管部を更に備え、前記拡管部は、把持部と、安定した載置のための台座部と、を有しており、前記本体部は、前記拡管部の前記台座部を収容可能な凹部を有しており、前記拡管部の前記台座部が前記本体部の前記凹部に収容されている状態を保持するための保持具が、前記拡管部及び前記本体部の少なくとも一方に設けられていることを特徴とする油圧式拡管機である。
【００１７】
本発明によれば、延長管及び延長配線を併用することによって、拡管部を本体部（油圧システム部分）から分離して拡管部のみを狭い作業現場に持ち込むことができるため、油圧式拡管機を狭い作業現場でも効果的に活用することができる。一方、延長管及び延長配線を用いないで、油圧管接続ポートに油圧管を直結し、スイッチ配線接続ポートにスイッチ配線を直結し、台座部を凹部に収容した態様とすれば、従来の油圧式拡管機５０と同様の用い方が可能である。すなわち、本発明によれば、１台の油圧式拡管機で、分離型の態様と一体型の態様との２ウェイの使用態様を提供することができる。
【００１８】
更に、本発明によれば、台座部が凹部に収容されている状態を保持するための保持具が、拡管部及び本体部の少なくとも一方に設けられている。このことは、拡管部や接続部に螺合によってアダプタやアタッチメントを取り付ける場合に有効である。なぜなら、拡管部や接続部に対するネジ込み作業（及びネジ外し作業）において、台座部が凹部に対して十分に固定されていないと、作業途中で台座部が浮き上がってしまって作業が行い難いということがあるが、前記保持具の存在がそのような事態を防いでくれるからである。
【００１９】
あるいは、本発明は、電気エネルギを油圧に変換する油圧システムと、前記油圧システムを収容する本体ケースと、前記本体ケースの外面に設けられた油圧管接続ポートと、前記油圧システムの起動のオン・オフを制御するスイッチ部と、前記スイッチ部に接続されると共に前記本体ケースの外面に設けられたスイッチ配線接続ポートと、を有しており、前記油圧管接続ポートに油圧管が接続された状態で、前記スイッチ部が前記油圧システムの起動をオンにすると、当該油圧管内に油圧を供給するようになっていることを特徴とする本体部を備え、また、前記油圧管接続ポートに対して直接接続可能であると共に、延長管を介しても接続可能である油圧管と、前記スイッチ配線接続ポートに対して直接接続可能であると共に、延長配線を介しても接続可能であるスイッチ配線と、前記スイッチ配線及び前記本体部の前記スイッチ配線接続ポートを介して前記本体部の前記スイッチ部のオン・オフの制御を操作可能なスイッチ操作部と、拡管対象の配管の径に対応するアタッチメントを接続するための接続部と、を有しており、前記接続部にアタッチメントが接続された状態で、前記油圧管に油圧が供給されると、当該アタッチメントに油圧が作用されて、配管を拡管するようなアタッチメントの一時的な変形が生じることを特徴とする拡管部を更に備え、前記拡管部は、把持部と、安定した載置のための台座部と、を有しており、前記本体部は、前記拡管部の前記台座部を収容可能な凹部を有しており、前記凹部の周縁の一部の上面には、スライドレール形成部が設けられており、前記拡管部の前記台座部は、前記本体部の前記凹部に対して、スライド移動することによって収容されるようになっていることを特徴とする油圧式拡管機である。
【００２０】
本発明によっても、延長管及び延長配線を併用することによって、拡管部を本体部（油圧システム部分）から分離して拡管部のみを狭い作業現場に持ち込むことができるため、油圧式拡管機を狭い作業現場でも効果的に活用することができる。一方、延長管及び延長配線を用いないで、油圧管接続ポートに油圧管を直結し、スイッチ配線接続ポートにスイッチ配線を直結し、台座部を凹部に収容した態様とすれば、従来の油圧式拡管機５０と同様の用い方が可能である。すなわち、本発明によれば、１台の油圧式拡管機で、分離型の態様と一体型の態様との２ウェイの使用態様を提供することができる。
【００２１】
更に、本発明によれば、凹部の周縁の一部の上面にスライドレール形成部が設けられており、台座部は凹部に対してスライド移動することによって収容されるようになっている。このことは、拡管部や接続部に螺合によってアダプタやアタッチメントを取り付ける場合に有効である。なぜなら、スライドレール形成部が台座部の上方への浮き上がりを抑制して、拡管部や接続部に対するネジ込み作業（及びネジ外し作業）途中で台座部が浮き上がってしまって作業が行い難いという事態を防いでくれるからである。
【００２２】
後者の発明においても、拡管部の台座部が本体部の凹部に収容されている状態を保持するための保持具が、拡管部及び本体部の少なくとも一方に設けられることが好ましい。この場合、何らかの不所望の要因によって拡管部にスライド移動力が生じた場合でも、拡管部が実際にスライド移動して凹部から外れることが防がれる。例えば、当該保持具は、互いに対応するようにスライドレール部に設けられた貫通孔と台座部に設けられた有底穴または貫通穴とに挿入される抜け止めピンである。このような簡単な保持具であっても、拡管部の凹部からの抜け止め効果を十分に得ることができる。
【００２３】
拡管部の把持部は、台座部と略平行な方向に伸びる把持ハンドルとして形成されることが好ましい。この場合、把持が容易で安定するし、収納時においても省スペースである。また、この場合、スイッチ操作部は、把持ハンドルの先端部に台座部と略平行な方向への押圧操作部として設けられることが好ましい。このような態様は、本件発明者の実際の検証によれば、スイッチ操作部の誤操作が生じにくいという点で、顕著に優れる。
【００２４】
また、本体部の油圧管接続ポートは、上方に延出した後に屈曲して略水平方向に延びるように設けられていることが好ましい。このような態様は、収納時に省スペースであるという点で、顕著に優れる。
【００２５】
なお、着脱作業の容易性という点では、油圧管接続ポートと油圧管とは、ワンタッチ脱着式であることが好ましく、同様に、油圧管接続ポートと延長管並びに延長管と油圧管も、ワンタッチ脱着式であることが好ましい。
【００２６】
アタッチメントについては、従来のものが流用可能である。典型的なアタッチメントは、拡管部の接続部に固定されるフランジ部と、フランジ部を貫通して延びており油圧が作用される時に拡管部の接続部に対して引込移動するガイドシャフトと、を備えている。そして、ガイドシャフトには、フランジ部に対向する対向フランジ部が設けられており、フランジ部と対向フランジ部との間に、弾性変形可能な樹脂リングが設けられており、アタッチメントに油圧が作用されると、ガイドシャフトが引込移動して、フランジ部と対向フランジ部との間で樹脂リングが圧縮されて外径側に膨らむように変形され、その変形力が配管を拡管する力として利用されるようになっている。
【００２７】
また、本発明は、前述のいずれかの特徴を有する油圧式拡管機と、アタッチメントの１以上と、延長管と、延長配線と、を備えたことを特徴とする油圧式拡管機セットである。
【００２８】
この場合、延長管と延長配線とは、少なくとも部分的に一体化されていることが好ましい。
【発明の効果】
【００２９】
本発明によれば、延長管及び延長配線を併用することによって、拡管部を本体部（油圧システム部分）から分離して拡管部のみを狭い作業現場に持ち込むことができるため、油圧式拡管機を狭い作業現場でも効果的に活用することができる。一方、延長管及び延長配線を用いないで、油圧管接続ポートに油圧管を直結し、スイッチ配線接続ポートにスイッチ配線を直結し、台座部を凹部に収容した態様とすれば、従来の油圧式拡管機５０と同様の用い方が可能である。すなわち、本発明によれば、１台の油圧式拡管機で、分離型の態様と一体型の態様との２ウェイの使用態様を提供することができる。
【００３０】
更に、本発明によれば、台座部が凹部に収容されている状態を保持するための保持具が、拡管部及び本体部の少なくとも一方に設けられている。このことは、拡管部や接続部に螺合によってアダプタやアタッチメントを取り付ける場合に有効である。なぜなら、拡管部や接続部に対するネジ込み作業（及びネジ外し作業）において、台座部が凹部に対して十分に固定されていないと、作業途中で台座部が浮き上がってしまって作業が行い難いということがあるが、前記保持具の存在がそのような事態を防いでくれるからである。
【００３１】
あるいは、本発明によれば、凹部の周縁の一部の上面にスライドレール形成部が設けられており、台座部は凹部に対してスライド移動することによって収容されるようになっている。このことは、拡管部や接続部に螺合によってアダプタやアタッチメントを取り付ける場合に有効である。なぜなら、スライドレール形成部が台座部の上方への浮き上がりを抑制して、拡管部や接続部に対するネジ込み作業（及びネジ外し作業）途中で台座部が浮き上がってしまって作業が行い難いという事態を防いでくれるからである。
【図面の簡単な説明】
【００３２】
【図１】本発明の第１の実施の形態の油圧式拡管機の正面図である。
【図２】図１の油圧式拡管機の側面図である。
【図３】図１の油圧式拡管機の平面図である。
【図４】アタッチメントを取り付けた状態での図１の油圧式拡管機の側面図である。
【図５】延長管及び延長配線を用いる使用態様での図１の油圧式拡管機の平面図である。
【図６】図５の拡管部の正面図である。
【図７】図５の拡管部の側面図である。
【図８】本発明の第２の実施の形態の油圧式拡管機の正面図である。
【図９】図８の油圧式拡管機の側面図である。
【図１０】図８の油圧式拡管機の平面図である。
【図１１】アタッチメントを取り付けた状態での図８の油圧式拡管機の側面図である。
【図１２】延長管及び延長配線を用いる使用態様での図８の油圧式拡管機の平面図である。
【図１３】図１２の拡管部の正面図である。
【図１４】図１２の拡管部の側面図である。
【図１５】従来の油圧式拡管機の正面図である。
【図１６】図１５の（従来の）油圧式拡管機の側面図である。
【図１７】アタッチメントを取り付けた状態での図１５の（従来の）油圧式拡管機の側面図である。
【図１８】アタッチメントの構成を示す概略側面図である。
【発明を実施するための形態】
【００３３】
以下、図面を参照して本発明の実施の形態について説明する。  
【００３４】
図１は、本発明の第１の実施の形態の油圧式拡管機の正面図であり、図２は、図１の油圧式拡管機の側面図であり、図３は、図１の油圧式拡管機の平面図である。また、図４は、アタッチメントを取り付けた状態での図１の油圧式拡管機の側面図である。そして、図５は、延長管及び延長配線を用いる使用態様での図１の油圧式拡管機の平面図であり、図６は、図５の拡管部の正面図であり、図７は、図５の拡管部の側面図である。
【００３５】
図１乃至図７に示すように、本実施の形態の油圧式拡管機１は、電気エネルギ（不図示の電源コードを用いて家庭用交流電源を利用する）を油圧に変換する油圧システム１１と、油圧システム１１を収容する本体ケース１２と、油圧システム１１の起動のオン・オフを制御するスイッチ部１４と、を有する本体部１０を備えている。
【００３６】
本体ケース１２の上面には、鉛直方向上方に向けて延びる油圧管接続ポート１３が設けられており、また、本体ケース１２の側面には、スイッチ部１４に接続されたスイッチ配線接続ポート１５が設けられている。
【００３７】
当該本体部１０は、油圧管接続ポート１３に後述する油圧管２１が接続された状態で、スイッチ部１４が油圧システム１１の起動をオンにすると、当該油圧管２１内に油圧を供給するようになっている。本実施の形態のスイッチ部１４は、３秒間オン状態を維持した後、自動的にオフ状態に戻るようになっている。
【００３８】
一方で、本実施の形態の油圧式拡管機１は、拡管対象の配管の径に対応するアタッチメント７０が接続される接続部２７と、油圧管接続ポート１３に対して接続される油圧管２１と、スイッチ配線接続ポート１５に対して接続されるスイッチ配線２２と、を有する拡管部２０をも備えている。接続部２７は、油圧シリンダと呼ばれる略円筒形状部材２４の内部にあるピストンロッドからなっている。油圧管２１は、略円筒形状部材２４の側面から側方へ延出した後、屈曲して斜め上後方へと延出している。スイッチ配線２２は、略円筒形状部材２４の後方から延出している。
【００３９】
図１乃至図４の状態では、油圧管２１は油圧管接続ポート１３に対して直接接続されており、スイッチ配線２２はスイッチ配線接続ポート１５に対して直接接続されているが、図５に示すように、油圧管２１は延長管３１を介して油圧管接続ポート１３に接続されることができ、スイッチ配線２２は延長配線３２を介してスイッチ配線接続ポート１５に接続されることができるようになっている。
【００４０】
本実施の形態では、油圧管接続ポート１３と油圧管２１との接続は、ワンタッチ脱着式であり、同様に、油圧管接続ポート１３と延長管３１との接続、並びに、延長管３１と油圧管２１との接続も、ワンタッチ脱着式である。
【００４１】
一方、スイッチ配線接続ポート１５とスイッチ配線２２との接続は、ネジ固定式であり、同様に、スイッチ配線接続ポート１５と延長配線３２との接続、並びに、延長配線３２とスイッチ配線２２の接続も、ネジ固定式である。
【００４２】
また、拡管部２０は、取り回しを容易にするための把持部２５と、安定した載置のための台座部２６と、を有している。本実施の形態の台座部２６は、図６及び図７に示すように、前後方向に延びる２本の中空角柱部材２６ａ、２６ｂと、それらの角柱部材の上面同士を接続する左右方向に延びる２本の設置板２６ｃ、２６ｄと、を有しており、当該２本の設置板２６ｃ、２６ｄ上に略円筒形状部材２４が固定されている。
【００４３】
そして、本体ケース１２の上面には、拡管部２０の台座部２６の２本の中空角柱部材２６ａ、２６ｂを収容可能な凹部１６が設けられている（図５参照）。凹部１６は、直方体状であり、図５に示すように平面視では長方形状である。そして、台座部２６の２本の中空角柱部材２６ａ、２６ｂが凹部１６に収容されている状態を保持するための保持具として、一対のバックル式保持具４１、４２が、本体ケース１２の上面の凹部１６の左右縁の近傍に設けられている。
【００４４】
また、本実施の形態の把持部２５は、略円筒形状部材２４の上方に、台座部２６と略平行な方向に伸びる（略水平方向に伸びる）把持ハンドルとして設けられている。そして、本実施の形態では、把持部２５の上面側に、押圧タイプのスイッチ操作部２３が設けられている（図５参照）。当該スイッチ操作部２３は、スイッチ配線２２及び本体部１０のスイッチ配線接続ポート１５を介して、本体部１０のスイッチ部１４のオン・オフの制御を操作可能（本実施の形態では、スイッチ部１４を３秒間オン状態にすることが可能）となっている。
【００４５】
また、図４及び図５に示すように、接続部２７には、従来同様のアタッチメント７０が接続されるようになっている。具体的には、本実施の形態の接続部２７には、アタッチメント７０に設けられた雄ネジ部が螺合されるようになっている。また、拡管対象の配管の径に応じて、付加的にアダプタ６０が取り付けられるようになっている。アダプタ６０は、略円筒形状部材２４に対して嵌め込み式に固定されるようになっている。アダプタ６０の取り付けが必要な場合は、アタッチメント７０の取り付けに先行して行なわれるようになっている。
【００４６】
次に、本実施の形態の作用について説明する。
【００４７】
図１乃至図４の状態では、油圧管２１は油圧管接続ポート１３に対して直接接続されており、スイッチ配線２２はスイッチ配線接続ポート１５に対して直接接続されている。この状態での使用態様は、従来の油圧式拡管機５０と同様である。この場合、アタッチメント７０の螺合作業の行ないやすさという観点から、台座部２６が凹部１６に対して十分に固定されていることが好ましい。当該固定が十分でないと、略円筒形状部材２４や接続部２７に対するネジ込み作業ないしネジ外し作業の途中で台座部２６が浮き上がってしまって作業が行い難い、ということがあるからである。本実施の形態では、一対のバックル式保持具４１、４２が、そのような事態を防いでくれる。
【００４８】
一方、本実施の形態の油圧式拡管機１は、図５に示すような使用態様をとることが可能である。すなわち、油圧管２１が延長管３１を介して油圧管接続ポート１３に接続され、スイッチ配線２２が延長配線３２を介してスイッチ配線接続ポート１５に接続されることができる。この使用態様では、拡管部２０を本体部１０（油圧システム部分）から分離して拡管部２０のみを狭い作業現場に持ち込むことができるため、油圧式拡管機１を狭い作業現場でも効果的に活用することができる。
【００４９】
すなわち、本実施の形態によれば、１台の油圧式拡管機１で、分離型の態様と一体型の態様との２ウェイの使用態様を提供することができる。
【００５０】
なお、アタッチメント７０について改めて詳細に説明すれば、アタッチメント７０は、図１８に示すように、拡管部２０の略円筒形状部材２４に固定されるフランジ部７１と、フランジ部７１を貫通して延びており拡管部２０の接続部２７に接続されて油圧が作用される時にフランジ部７１に対して引込移動可能なガイドシャフト７２と、を有している。また、ガイドシャフト７２には、フランジ部７１に対向する対向フランジ部７３が設けられており、フランジ部７１と対向フランジ部７３との間に、弾性変形可能な樹脂リング７４が設けられている。
【００５１】
そして、アタッチメント７０に油圧が作用されると、ガイドシャフト７２が引込移動して、フランジ部７１と対向フランジ部７３との間で樹脂リング７４が圧縮されて外径側に膨らむように変形され、その変形力が配管を拡管する力として利用される。このようなアタッチメントの機能原理については、従来の油圧式拡管機５０と同様である。
【００５２】
次に、本発明の第２の実施の形態の油圧式拡管機について説明する。
【００５３】
図８は、本発明の第２の実施の形態の油圧式拡管機の正面図であり、図９は、図８の油圧式拡管機の側面図であり、図１０は、図８の油圧式拡管機の平面図である。また、図１１は、アタッチメントを取り付けた状態での図８の油圧式拡管機の側面図である。そして、図１２は、延長管及び延長配線を用いる使用態様での図８の油圧式拡管機の平面図であり、図１３は、図１２の拡管部の正面図であり、図１４は、図１２の拡管部の側面図である。
【００５４】
図８乃至図１４に示すように、本実施の形態の油圧式拡管機１０１は、第１の実施の形態と同様に、電気エネルギ（不図示の電源コードを用いて家庭用交流電源を利用する）を油圧に変換する油圧システム１１１と、油圧システム１１１を収容する本体ケース１１２と、油圧システム１１１の起動のオン・オフを制御するスイッチ部１１４と、を有する本体部１１０を備えている。
【００５５】
本実施の形態の本体ケース１１２の上面には、第１の実施の形態とは異なり、上方に延出した後に屈曲して略水平方向に向けて延びる油圧管接続ポート１１３が設けられている。また、本体ケース１１２の側面には、第１の実施の形態と同様に、スイッチ部１１４に接続されたスイッチ配線接続ポート１１５が設けられている。
【００５６】
当該本体部１１０も、油圧管接続ポート１１３に後述する油圧管１２１が接続された状態で、スイッチ部１１４が油圧システム１１１の起動をオンにすると、当該油圧管１２１内に油圧を供給するようになっている。本実施の形態のスイッチ部１１４は、３秒間オン状態を維持した後、自動的にオフ状態に戻るようになっている。
【００５７】
一方で、本実施の形態の油圧式拡管機１０１は、拡管対象の配管の径に対応するアタッチメント７０が接続される接続部１２７と、油圧管接続ポート１１３に対して接続される油圧管１２１と、スイッチ配線接続ポート１１５に対して接続されるスイッチ配線１２２と、を有する拡管部１２０をも備えている。接続部１２７は、油圧シリンダと呼ばれる略円筒形状部材１２４の内部にあるピストンロッドからなっている。油圧管１２１は、略円筒形状部材１２４の側面から側方へ延出した後、屈曲して後方へと延出している。スイッチ配線１２２は、略円筒形状部材１２４の後方から延出している。
【００５８】
図８乃至図１１の状態では、油圧管１２１は油圧管接続ポート１１３に対して直接接続されており、スイッチ配線１２２はスイッチ配線接続ポート１１５に対して直接接続されているが、図１２に示すように、油圧管１２１は延長管３１を介して油圧管接続ポート１１３に接続されることができ、スイッチ配線１２２は延長配線３２を介してスイッチ配線接続ポート１１５に接続されることができるようになっている。
【００５９】
本実施の形態では、油圧管接続ポート１１３と油圧管１２１との接続は、ワンタッチ脱着式であり、同様に、油圧管接続ポート１１３と延長管１３１との接続、並びに、延長管１３１と油圧管１２１との接続も、ワンタッチ脱着式である。
【００６０】
一方、スイッチ配線接続ポート１１５とスイッチ配線１２２との接続は、ネジ固定式であり、同様に、スイッチ配線接続ポート１１５と延長配線１３２との接続、並びに、延長配線１３２とスイッチ配線１２２の接続も、ネジ固定式である。
【００６１】
また、拡管部１２０は、取り回しを容易にするための把持部１２５と、安定した載置のための台座部１２６と、を有している。本実施の形態の台座部１２６は、図１３及び図１４に示すように、前後方向に延びる２本の中空角柱部材１２６ａ、１２６ｂと、それらの角柱部材の上面同士を接続する左右方向に延びる２本の設置板１２６ｃ、１２６ｄと、を有しており、当該２本の設置板１２６ｃ、１２６ｄ上に略円筒形状部材１２４が固定されている。ここで、図１３に示すように、２本の設置板１２６ｃ、１２６ｄの長さは２本の中空角柱部材１２６ａ、１２６ｂの左右幅よりも短くなっていて、中空角柱部材１２６ａ、１２６ｂの左右縁の近傍領域の上面は露出されている。この露出部分が、後述するスライドレール形成部１１７に対してスライドするようになっている。
【００６２】
一方、本体ケース１１２の上面には、拡管部１２０の台座部１２６の２本の中空角柱部材１２６ａ、１２６ｂを収容可能な凹部１１６が設けられている（図１２参照）。凹部１１６は、直方体状であり、平面視では長方形状であるが、第１の実施の形態と異なり、前方側が本体ケース１１２の側面に開放されている（図８及び図１２参照）。そして、凹部１１６の左右縁と後方縁の上面を覆うように、平面視で略Ｕ字状の板材であるスライドレール形成部１１７が設けられており（図１２参照）、台座部１２６の２本の中空角柱部材１２６ａ、１２６ｂの左右縁の近傍領域の露出上面が、当該スライドレール形成部１１７に対してスライドするようになっている。これにより、台座部１２６の２本の中空角柱部材１２６ａ、１２６ｂが、凹部１１６に対して前方側からスライド移動することによって、収容される（及び取り外される）ようになっている。
【００６３】
また、本実施の形態では、台座部１２６の２本の中空角柱部材１２６ａ、１２６ｂが凹部１１６に収容されている状態を保持するための保持具として、抜け止めピン１４３が設けられており、当該抜け止めピン１４３は、互いに対応するようにスライドレール部１１７に設けられた貫通孔と台座部１２６に設けられた有底穴または貫通穴とに挿入されるようになっている。抜け止めピン１４３は、本体ケース１１２の上面に、ワイヤ１４４を介して固定されている。
【００６４】
また、本実施の形態の把持部１２５も、略円筒形状部材１２４の上方に、台座部１２６と略平行な方向に伸びる（略水平方向に伸びる）把持ハンドルとして設けられている。しかし本実施の形態では、押圧タイプのスイッチ操作部１２３が、把持ハンドルの先端部に台座部１２６と略平行な方向（略水平な方向）への押圧操作部として設けられている。当該スイッチ操作部１２３は、スイッチ配線１２２及び本体部１１０のスイッチ配線接続ポート１１５を介して、本体部１１０のスイッチ部１１４のオン・オフの制御を操作可能（本実施の形態では、スイッチ部１１４を３秒間オン状態にすることが可能）となっている。
【００６５】
また、図１１及び図１２に示すように、接続部１２７には、従来同様のアタッチメント７０が接続されるようになっている。具体的には、本実施の形態の接続部１２７には、アタッチメント７０に設けられた雄ネジ部が螺合されるようになっている。また、拡管対象の配管の径に応じて、付加的にアダプタ６０が取り付けられるようになっている。アダプタ６０は、略円筒形状部材１２４に対して嵌め込み式に固定されるようになっている。アダプタ６０の取り付けが必要な場合は、アタッチメント７０の取り付けに先行して行なわれるようになっている。
【００６６】
次に、本実施の形態の作用について説明する。
【００６７】
図８乃至図１１の状態では、油圧管１２１は油圧管接続ポート１１３に対して直接接続されており、スイッチ配線１２２はスイッチ配線接続ポート１１５に対して直接接続されている。この状態での使用態様は、従来の油圧式拡管機５０と同様である。この場合、アタッチメント７０の螺合作業の行ないやすさという観点から、台座部１２６が凹部１１６に対して十分に固定されていることが好ましい。当該固定が十分でないと、略円筒形状部材１２４や接続部１２７に対するネジ込み作業ないしネジ外し作業の途中で台座部１２６が浮き上がってしまって作業が行い難い、ということがあるからである。本実施の形態では、スライドレール形成部１１７が台座部１２６の左右縁の全体において上方への浮き上がりを抑制するため、バックル式保持具４１、４２によって局所的に上方への浮き上がりを抑制するよりも、拡管部１２０や接続部１２７に対するネジ込み作業（及びネジ外し作業）の際の台座部１２６の浮き上がり防止効果に優れる。また、バックル式保持具４１、４２を設ける場合より、コスト面でも有利である。なお、スライドレール形成部１１７が台座部１２６の左右縁を覆う長さは、台座部１２６の左右縁の全長であることが好ましいが、当該全長の２分の１以上であれば十分な効果がある。
【００６８】
更に、本実施の形態では、何らかの不所望の要因によって拡管部１２０にスライド移動力が生じた場合でも、抜け止めピン１４３を活用することで、拡管部１２０が実際にスライド移動して凹部１１６から外れることが防がれる。このような簡単な保持具であっても、拡管部１２０の凹部１１６からの抜け止め効果を十分に得ることができる。
【００６９】
一方、本実施の形態の油圧式拡管機１０１は、図１２に示すような使用態様をとることが可能である。すなわち、油圧管１２１が延長管１３１を介して油圧管接続ポート１１３に接続され、スイッチ配線１２２が延長配線１３２を介してスイッチ配線接続ポート１１５に接続されることができる。この使用態様では、拡管部１２０を本体部１１０（油圧システム部分）から分離して拡管部１２０のみを狭い作業現場に持ち込むことができるため、油圧式拡管機１０１を狭い作業現場でも効果的に活用することができる。
【００７０】
すなわち、本実施の形態によっても、１台の油圧式拡管機１０１で、分離型の態様と一体型の態様との２ウェイの使用態様を提供することができる。
【００７１】
また、本実施の形態では、スイッチ操作部１２３が、把持部１２５（把持ハンドル）の先端部に台座部１２６と略平行な方向への押圧操作部として設けられている。このような態様は、本件発明者の実際の検証によれば、スイッチ操作部１２３の誤操作が生じにくいという点で、顕著に優れる。
【００７２】
また、本実施の形態では、油圧管接続ポート１１３が上方に延出した後に屈曲して略水平方向に延びるように設けられている。このような態様は、収納時に省スペースであるという点で、顕著に優れる。
【符号の説明】
【００７３】
１、１０１  油圧式拡管機
１０、１１０  本体部
１１、１１１  油圧システム
１２、１１２  本体ケース
１３、１１３  油圧管接続ポート
１４、１１４  スイッチ部
１５、１１５  スイッチ配線接続ポート
１６、１１６  凹部
１１７  スライドレール形成部
２０、１２０  拡管部
２１、１２１  油圧管
２２、１２２  スイッチ配線
２３、１２３  スイッチ操作部
２４、１２４  略円筒形状部材
２５、１２５  把持部（把持ハンドル）
２６、１２６  台座部
２６ａ、２６ｂ、１２６ａ、１２６ｂ  中空角柱部材
２６ｃ、２６ｄ、１２６ｃ、１２６ｄ  設置板
２７、１２７  接続部
３１  延長管
３２  延長配線
４１、４２  バックル式保持具
１４３  抜け止めピン
１４４  ワイヤ
５０  油圧式拡管機（従来）
５１  油圧システム
５２  本体ケース
５３  油圧管
５４  拡管作用部
６０  アダプタ
７０  アタッチメント
７１  フランジ部（スペーサ）
７２  ガイドシャフト
７３  対向フランジ部
７４  樹脂リング
【図１】
0006397835.tif 000002
【図２】
0006397835.tif 000003
【図３】
0006397835.tif 000004
【図４】
0006397835.tif 000005
【図５】
0006397835.tif 000006
【図６】
0006397835.tif 000007
【図７】
0006397835.tif 000008
【図８】
0006397835.tif 000009
【図９】
0006397835.tif 000010
【図１０】
0006397835.tif 000011
【図１１】
0006397835.tif 000012
【図１２】
0006397835.tif 000013
【図１３】
0006397835.tif 000014
【図１４】
0006397835.tif 000015
【図１５】
0006397835.tif 000016
【図１６】
0006397835.tif 000017
【図１７】
0006397835.tif 000018
【図１８】
0006397835.tif 000019